(57)【要約】【課題】アダプタの間隔が異なるバケットであってもその先端の保護を高める。【解決手段】バケット先端カバー１は、隣り合うアダプタ７の間でバケット５の先端に配置される複数のカバー部材に１０，２０よって構成されている。複数のカバー部材１０，２０は、各カバー部材１０，２０がアダプタ７の配列方向Ａに相対移動することにより当該配列方向Ａにおける全体の幅が調整された状態で、バケット５に固着されるように構成されている。【選択図】図１
2020016134.tif 000002
【特許請求の範囲】
【請求項１】
掘削具が装着されるアダプタが所定の間隔で設けられたバケットの先端を保護するためのバケット先端カバーであって、
隣り合う上記アダプタの間で上記バケットの先端に配置される複数のカバー部材によって構成され、
上記複数のカバー部材は、上記各カバー部材が上記アダプタの配列方向に相対移動することにより当該配列方向における全体の幅が調整された状態で、上記バケットに固着されるように構成されている、バケット先端カバー。
【請求項２】
請求項１に記載のバケット先端カバーにおいて、
上記複数のカバー部材は、第１カバー部材及び第２カバー部材を有し、
上記第1カバー部材は、上記バケットの内側表面又は外側表面に沿って設けられる第1ベース部と、該第１ベース部の前端に立設されて上記バケットの先端を覆う第１前端部とを有し、
上記第２カバー部材は、上記バケットの内側表面又は外側表面に沿って設けられる第２ベース部と、該第２ベース部の前端に立設されて上記バケットの先端を覆う第２前端部とを有し、
上記第１前端部は、該第１前端部と上記第２前端部との間に生じる隙間を前方から遮蔽する第１遮蔽部を備えている、バケット先端カバー。
【請求項３】
請求項２に記載のバケット先端カバーにおいて、
上記第１遮蔽部は、上記第１ベース部と上記第２ベース部との間に生じる隙間を前方から遮蔽するように構成されている、バケット先端カバー。
【請求項４】
請求項１に記載のバケット先端カバーにおいて、
上記第２ベース部は、該第２ベース部と上記第１ベース部との間に生じる隙間を後方から遮蔽する第２遮蔽部を備えている、バケット先端カバー。
【請求項５】
請求項２に記載のバケット先端カバーにおいて、
上記第１前端部は、該第１前端部と上記第２前端部との間に生じる隙間を、上記第２前端部の上記第２ベース部からの突出側から遮蔽する第３遮蔽部を備えている、バケット先端カバー。
【発明の詳細な説明】
【技術分野】
【０００１】
本発明は、ショベル機械用のバケットの先端側に装着されるバケット先端カバーに関する。
【背景技術】
【０００２】
例えばパワーショベルやショベルローダなどのショベル機械のバケットには、その先端に複数のアダプタが所定の間隔で固着されている。各アダプタの先端には、掘削具として例えば爪状のツ―スが装着される。ツースは、バケットの先端から突出している。
【０００３】
特許文献１には、隣り合うツ―スの間で露出するバケットの先端に対し、バケット先端カバー（シュラウド）を固着することが記載されている。バケット先端カバーをバケット先端に固着することによって、当該バケット先端を保護するようにしている。一般に、バケット先端カバーは鋳鉄等の金属からなり、板状のバケット先端に対し溶接によって固着される。
【先行技術文献】
【特許文献】
【０００４】
【特許文献１】特開２０１３−２４５５２９号公報
【発明の概要】
【発明が解決しようとする課題】
【０００５】
ところで、隣り合うアダプタの間隔（つまり、ツ―スの間隔）は、バケットの種類や大きさに応じて様々に異なっている。したがって、アダプタ間のバケット先端を適切に覆って保護するためには、様々に異なるアダプタ間隔に対応して、サイズが異なる多種類のバケット先端カバーを用意することが望ましい。しかし、このような多種類のバケット先端カバーを予め用意することには、製造コストや在庫管理の観点から難しいという問題がある。
【０００６】
本発明は、かかる点に鑑みてなされたものであり、その目的とするところは、バケット先端カバーの構成に改良を加えることにより、アダプタの間隔が異なるバケットであってもその先端の保護を高めることにある。
【課題を解決するための手段】
【０００７】
第１の発明は、掘削具が装着されるアダプタが所定の間隔で設けられたバケットの先端を保護するためのバケット先端カバーであって、隣り合う上記アダプタの間で上記バケットの先端に配置される複数のカバー部材によって構成され、上記複数のカバー部材は、上記各カバー部材が上記アダプタの配列方向に相対移動することにより当該配列方向における全体の幅が調整された状態で、上記バケットに固着されるように構成されている。
【０００８】
上記第１の発明によると、バケット先端カバーを構成する複数のカバー部材をアダプタの配列方向に相対移動させることにより、アダプタ配列方向におけるバケット先端カバーの幅を適宜調整することができる。したがって、ツース間隔が異なるバケットであっても、そのツース間隔に応じてバケット先端カバーの幅を適宜変更することにより、当該バケットの先端を適切に保護することが可能になる。
【０００９】
第２の発明は、上記第１の発明において、上記複数のカバー部材は、第１カバー部材及び第２カバー部材を有し、上記第1カバー部材は、上記バケットの内側表面又は外側表面に沿って設けられる第1ベース部と、該第１ベース部の前端に立設されて上記バケットの先端を覆う第１前端部とを有し、上記第２カバー部材は、上記バケットの内側表面又は外側表面に沿って設けられる第２ベース部と、該第２ベース部の前端に立設されて上記バケットの先端を覆う第２前端部とを有し、上記第１前端部は、該第１前端部と上記第２前端部との間に生じる隙間を前方から遮蔽する第１遮蔽部を備えている。
【００１０】
上記第２の発明によると、バケット先端カバーの幅を広げるために第１カバー部材及び第２カバー部材を互いに離隔させると、これら第１カバー部材の第1前端部と、第２カバー部材の第２前端部との間に隙間が生じる。この隙間を前方から第１遮蔽部によって遮蔽する構成としたので、第１前端部及び第２前端部を有するバケット先端カバーの前端部分の強度を高めることが可能になるだけでなく、掘削作業時に、上記隙間に対する土砂等のバケット先端側（つまりバケット前方）からの侵入を防止することが可能になる。
【００１１】
第３の発明は、上記第２の発明において、上記第１遮蔽部は、上記第１ベース部と上記第２ベース部との間に生じる隙間を前方から遮蔽するように構成されている。
【００１２】
上記第３の発明によると、第1前端部と第２前端部との隙間だけでなく、第１ベース部と第２ベース部との隙間も第１遮蔽部によって遮蔽できるので、これらの隙間に対する土砂等の前方からの侵入を防止できる。
【００１３】
第４の発明は、上記第１の発明において、上記第２ベース部は、該第２ベース部と上記第１ベース部との間に生じる隙間を後方から遮蔽する第２遮蔽部を備えている。
【００１４】
上記第４の発明によると、第１カバー部材及び第２カバー部材を互いに離隔させたときに、第１カバー部材の第１ベース部と、第２カバー部材の第２ベース部との間にも隙間が生じるが、この隙間を後方から第２遮蔽部によって遮蔽する構成としたので、土砂等の掘削時や土砂等の均し作業時に、上記隙間に対する土砂等のバケット後方からの侵入を防止することが可能になる。
【００１５】
第５の発明は、上記第２の発明において、上記第１前端部は、該第１前端部と上記第２前端部との間に生じる隙間を、上記第２前端部の上記第２ベース部からの突出側から遮蔽する第３遮蔽部を備えている。上記第５の発明によると、掘削作業時に、第１前端部と第２前端部との隙間に対する土砂等の侵入を、バケット先端側（つまりバケット前方）からだけでなく第２前端部の突出側からも防ぐことが可能になる。
【発明の効果】
【００１６】
本発明によれば、アダプタの間隔が異なるバケットであってもその先端の保護を高めることができる。
【図面の簡単な説明】
【００１７】
【図１】図１は、本実施形態１におけるバケット先端カバーが装着されたバケットの先端を一部拡大して示す平面図である。
【図２】図２は、幅が広がった状態のバケット先端カバーを示す斜視図である。
【図３】図３は、幅が広がった状態のバケット先端カバーを示す斜視図である。
【図４】図４は、幅が広がった状態のバケット先端カバーを示す斜視図である。
【図５】図５は、幅が広がった状態のバケット先端カバーを示す平面図である。
【図６】図６は、幅が広がった状態のバケット先端カバーを示す正面図である。
【図７】図７は、幅が広がった状態のバケット先端カバーを示す側面図である。
【図８】図８は、幅が広がった状態のバケット先端カバーを示す底面図である。
【図９】図９は、第１カバー部材を示す斜視図である。
【図１０】図１０は、第１カバー部材を示す斜視図である。
【図１１】図１１は、第２カバー部材を示す斜視図である。
【図１２】図１２は、第２カバー部材を示す斜視図である。
【図１３】図１３は、幅が狭くなった状態のバケット先端カバーを示す斜視図である。
【図１４】図１４は、幅が狭くなった状態のバケット先端カバーを示す斜視図である。
【図１５】図１５は、幅が狭くなった状態のバケット先端カバーを示す平面図である。
【図１６】図１６は、幅が狭くなった状態のバケット先端カバーを示す正面図である。
【図１７】図１７は、幅が狭くなった状態のバケット先端カバーを示す底面図である。
【図１８】図１８は、本実施形態２における幅が広がった状態のバケット先端カバーを示す斜視図である。
【図１９】図１９は、第１カバー部材を示す斜視図である。
【図２０】図２０は、第２カバー部材を示す斜視図である。
【発明を実施するための形態】
【００１８】
以下、本発明の実施形態を図面に基づいて詳細に説明する。尚、本発明は、以下の実施形態に限定されるものではない。
＜実施形態１＞
【００１９】
図１は、本実施形態におけるバケット先端カバー１が装着されたバケット５の先端６を一部拡大して示す平面図である。図２〜図４は、幅が広がったバケット先端カバー１の斜視図である。図５は、幅が広がったバケット先端カバー１の平面図である。図６は、幅が広がったバケット先端カバー１の正面図である。図７は、幅が広がったバケット先端カバー１の側面図である。図８は、幅が広がったバケット先端カバー１の底面図である。
本実施形態では、図１及び図５における下側を「前側」と称し、同図における上側を「後側」と称する。よって、バケット５の先端側が「前側」である。
【００２０】
バケット５は、図示を省略するがパワーショベルのアームに搭載されている。図１に示すように、バケット５の先端６には、複数のアダプタ７が所定の間隔で設けられている。尚、図１では、バケット５の先端６における一部分を拡大して示しているため、２つのアダプタ７のみが図示されているが、バケット５には３つ以上の複数のアダプタ７が設けられている。
【００２１】
バケット５の先端６は板状に形成されている。アダプタ７は、バケット５の先端６に溶接により固着されている。各アダプタ７には、掘削具としてのツース８が装着される。そして、バケット５の先端６には、隣り合うアダプタ７の間にバケット先端カバー１がそれぞれ装着されている。バケット先端カバー１は、バケット５の先端６を保護するためのものであり、バケット５の先端６に溶接により固着されている。
【００２２】
バケット先端カバー１は、隣り合うアダプタ７の間でバケット５の先端６に配置される複数のカバー部材１０，２０により構成されている。複数のカバー部材１０，２０は、各カバー部材１０，２０がアダプタ７の配列方向（図１で左右方向である矢印Ａの方向）に相対移動することにより、当該配列方向Ａにおける全体の幅が調整された状態で、バケット５に固着されるように構成されている。以下、詳細に説明する。
【００２３】
図９及び図１０は、第１カバー部材を示す斜視図である。図１１及び図１２は、第２カバー部材を示す斜視図である。複数のカバー部材１０，２０は、例えば鋳鉄等により形成された第１カバー部材１０及び第２カバー部材２０を有している。
【００２４】
図９及び図１０に示すように、第1カバー部材１０は、バケット５の内側表面（図１で紙面手前側）又は外側表面（図１で紙面奥側）に沿って設けられる第1ベース部１１と、第１ベース部１１の前端に立設されてバケット５の先端６を覆う第１前端部１２とを有している。本実施形態の第1ベース部１１は、バケット５の外側表面（図１で紙面奥側）に沿って設けられる。
【００２５】
第１ベース部１１は、板状の平板状部１３と、平板状部１３の側方に形成されたエッジ部１４とを有している。エッジ部１４は、平板状部１３における第２カバー部材２０とは反対側に設けられている。エッジ部１４には傾斜面１５が形成されており、傾斜面１５とバケット５の表面との間に溶接部が収まるようになっている。平板状部１３の略中央には、第１切欠き部１６が形成されている。第１切欠き部１６は、平板状部１３におけるエッジ部１４とは反対側で開放されている。第１前端部１２は、バケット５の前方から受ける衝撃や損耗に耐え得るように、前後方向の厚みが比較的大きくなっている。
【００２６】
一方、図１１及び図１２に示すように、第２カバー部材２０は、バケット５の内側表面（図１で紙面手前側）又は外側表面（図１で紙面奥側）に沿って設けられる第２ベース部２１と、第２ベース部２１の前端に立設されてバケット５の先端６を覆う第２前端部２２とを有している。本実施形態の第２ベース部２１は、第１ベース部１１と同様に、バケット５の外側表面（図１で紙面奥側）に沿って設けられる。
【００２７】
第２ベース部２１は、ベース本体２３と、ベース本体２３の第１カバー部材１０側に形成された段差部２４とを有している。図１１に示すように、ベース本体２３には傾斜面２５が形成されており、傾斜面２５とバケット５の表面との間に溶接部が収容されるようになっている。また、図１２に示すように、第２ベース部２１の外側（バケット５と反対側）には、突部２６が形成されている。
【００２８】
第２ベース部２１の第１カバー部材１０側には、第２切欠き部２７が形成されている。第２切欠き部２７の前後両側には、段差部２４が設けられている。言い換えれば、第２ベース部２１には、２つの段差部２４が前後に並ぶように設けられており、その２つの段差部２４の間に第２切欠き部２７が配置されている。
【００２９】
図２〜図５に示すように、段差部２４は、第１カバー部材１０と第２カバー部材２０とが組み合わされた状態で、第１カバー部材１０の平板状部１３に重なるようになっている。また、第１切欠き部１６及び第２切欠き部２７は、第１カバー部材１０と第２カバー部材２０とが組み合わされた状態で、１つの長孔状の開口部３１を形成するようになっている。開口部３１は、その内周縁において、第１カバー部材１０及び第２カバー部材２０を、バケット５の表面に溶接するためのものである。
【００３０】
また、図１１に示すように、第２ベース部２１は、段差部２４上に立設された中央突部３３を有している。中央突部３３は、段差部２４の一方に形成されており、その側面が第２切欠き部２７の一部を区画している。
【００３１】
ここで、図１３及び図１４は、幅が狭くなったバケット先端カバー１の斜視図である。図１５は、幅が狭くなったバケット先端カバー１の平面図である。図１６は、幅が狭くなったバケット先端カバー１の正面図である。図１７は、幅が狭くなったバケット先端カバー１の底面図である。
【００３２】
図１３〜図１７に示すように、バケット先端カバー１は、第１カバー部材１０及び第２カバー部材２０が互いに近づくように相対移動することにより、当該バケット先端カバー１の幅が小さくなる。そうして、バケット先端カバー１は、所望の幅に調整した状態で、バケット５に溶接して固着される。
【００３３】
第２カバー部材２０の中央突部３３は、第２切欠き部２７を区画する側面と反対側の側面が、第１カバー部材１０と第２カバー部材２０とを組み合わせて左右に相対移動させる際に、第１切欠き部１６の側面にガイドされるようになっている。さらに、中央突部３３を設けることによって、第２ベース部２１の強度が高められている。
【００３４】
また、図２に示すように、第１前端部１２は、この第１前端部１２と第２前端部２２との間に生じる隙間３５を前方から遮蔽する第１遮蔽部１８を備えている。第１遮蔽部１８は、上記隙間３５だけでなく、第１ベース部と第２ベース部との間に生じる隙間３６も前方から遮蔽するように構成されている。言い換えれば、第１遮蔽部１８は、バケット先端カバー１の前端に生じ得る隙間３５，３６を前方から遮蔽するようになっている。
【００３５】
第２前端部２２の前面は、第１カバー部材１０を第２カバー部材２０に対して左右に相対移動させる際に、第１遮蔽部１８の後面をガイドするように構成されている。すなわち、第１遮蔽部１８は、第２前端部２２の前面に沿って相対移動する。
【００３６】
さらに、第２ベース部２１は、この第２ベース部２１と第１ベース部１１との間に生じる隙間３６を後方から遮蔽する第２遮蔽部２８を備えている。第１ベース部１１の後面は、第１カバー部材１０を第２カバー部材２０に対して左右に相対移動させる際に、第２遮蔽部２８の前面をガイドするように構成されている。すなわち、第２遮蔽部２８は、第１ベース部１１の後面に沿って相対移動する。
【００３７】
そうして、バケット先端カバー１は、第１カバー部材１０及び第２カバー部材２０がアダプタ７の配列方向Ａに相対移動することにより当該配列方向Ａにおける全体の幅が調整された状態で、上記バケット５溶接により固着される。
【００３８】
したがって、本実施形態１によると、バケット先端カバー１を複数のカバー部材（第１カバー部材１０及び第２カバー部材２０）により構成したので、各カバー部材（第１カバー部材１０及び第２カバー部材２０）をアダプタ７の配列方向Ａに相対移動させることにより、その配列方向Ａにおけるバケット先端カバー１の幅を適宜調整することができる。したがって、ツース８の間隔が異なるバケット５であっても、そのツース８の間隔に応じてバケット先端カバー１の幅を適宜変更することにより、当該バケット５における先端６の保護を高めることができる。
【００３９】
ところで、バケット先端カバー１の幅を広げるために第１カバー部材１０及び第２カバー部材２０を互いに離隔させると、これら第１カバー部材１０の第1前端部１２と、第２カバー部材２０の第２前端部２２との間に隙間３５が生じる。本実施形態では、この隙間３５を前方から第１遮蔽部１８によって遮蔽する構成としたので、第１前端部１２及び第２前端部２２を有するバケット先端カバー１の前端部分の強度が高められるだけでなく、掘削作業時に、上記隙間３５に対する土砂等のバケット５先端側（つまりバケット５の前方）からの侵入を防止することが可能になる。さらに、第1前端部１２と第２前端部２２との隙間３５だけでなく、第１ベース部１１と第２ベース部との隙間３６も第１遮蔽部１８によって遮蔽できるので、これらの隙間３５，３６に対する土砂等の前方からの侵入を防止できる。
【００４０】
ここで、バケット５は、パワーショベルにおけるアームの動作により、その先端側である前方へ移動するだけでなく、反対方向の後方へも移動する。これに対し、本実施形態では、第１ベース部１１と第２ベース部との隙間３６を後方から第２遮蔽部２８によって遮蔽する構成としたので、土砂等の掘削時や土砂等の均し作業時に、上記隙間３６に対する土砂等のバケット後方からの侵入を防止することができる。
【００４１】
しかも、第２前端部２２の前面が第１遮蔽部１８の後面を支持可能であることに加え、第２遮蔽部２８の前面が第１ベース部１１の後面を支持可能であり、且つ中央突部３３の前面が第１切欠き部の後面を支持可能であるため、第１カバー部材１０を第２カバー部材２０によって強固に支持することが可能になっている。よって、本実施形態のバケット先端カバー１は、掘削作業時における前方からの衝撃に対する強度が大きく高められる。
＜実施形態２＞
【００４２】
次に、図１８〜図２０を参照して、本実施形態２について説明する。図１８は、本実施形態２における幅が広がったバケット先端カバー１を示す斜視図である。図１９は、第１カバー部材１０を示す斜視図である。図２０は、第２カバー部材２０を示す斜視図である。尚、上記実施形態１と同様の構成については説明を省略する。
【００４３】
図１８〜図２０に示すように、本実施形態２のバケット先端カバー１は、第１カバー部材１０の第１前端部１２が上記第１遮蔽部１８に加えて第３遮蔽部３８を備えている。第３遮蔽部３８は、第１前端部１２と第２前端部２２との間に生じる隙間３５を、第２前端部２２の第２ベース部２１からの突出側（つまり図１８で上側）から遮蔽するように構成されている。第３遮蔽部３８は、第１遮蔽部１８と一体に形成されており、第1遮蔽部１８における図１８で上側の端部からバケット５の後側へ延びている。
【００４４】
本実施形態２によると、第１遮蔽部１８と第３遮蔽部３８とが一体に形成されることにより第１前端部１２の全体の強度を高めることができ、しかも、バケット５の掘削作業時に、第１前端部１２と第２前端部２２との隙間３５に対する土砂等の侵入を、バケット５の先端側（つまりバケット５の前方）からだけでなく第２前端部２２の突出側（つまり図１８で上側）からも防ぐことができる。
【００４５】
尚、上述の説明では、第１ベース部１１及び第２ベース部２１をバケット５の外側表面（図１で紙面奥側）に沿って設けた例について説明したが、第１ベース部１１及び第２ベース部２１は、バケット５の内側表面（図１で紙面手前側）に沿って設けてもよく、このようにしても上述の効果と同様の効果を得ることができる。また、上述の説明では、バケット先端カバー１が２つのカバー部材１０，２０によって構成された例について説明したが、３つ以上の複数のカバー部材によってバケット先端カバー１を構成してもよい。
【産業上の利用可能性】
【００４６】
以上説明したように、本発明は、ショベル機械用のバケットの先端側に装着されるバケット先端カバーについて有用である。
【符号の説明】
【００４７】
Ａ  配列方向 
１  バケット先端カバー
５  バケット
６  先端
７  アダプタ
８  ツース（掘削具）
１０  第１カバー部材
１１  第１ベース部
１２  第１前端部
１８  第１遮蔽部
２０  第２カバー部材
２１  第２ベース部
２２  第２前端部
２８  第２遮蔽部
３５，３６  隙間
３８  第３遮蔽部
【図１】
2020016134.tif 000003
【図２】
2020016134.tif 000004
【図３】
2020016134.tif 000005
【図４】
2020016134.tif 000006
【図５】
2020016134.tif 000007
【図６】
2020016134.tif 000008
【図７】
2020016134.tif 000009
【図８】
2020016134.tif 000010
【図９】
2020016134.tif 000011
【図１０】
2020016134.tif 000012
【図１１】
2020016134.tif 000013
【図１２】
2020016134.tif 000014
【図１３】
2020016134.tif 000015
【図１４】
2020016134.tif 000016
【図１５】
2020016134.tif 000017
【図１６】
2020016134.tif 000018
【図１７】
2020016134.tif 000019
【図１８】
2020016134.tif 000020
【図１９】
2020016134.tif 000021
【図２０】
2020016134.tif 000022
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
バケットにアダプタが所定の間隔で設けられ、該アダプタに掘削具が装着された状態で露出する上記バケットの先端に固着されることによって、当該バケットの先端を保護するバケット先端カバーであって、
隣り合う上記アダプタの間で上記バケットの先端に配置される第１カバー部材及び第２カバー部材を有し、
上記第１カバー部材及び上記第２カバー部材は、当該各カバー部材が上記アダプタの配列方向に相対移動することにより当該配列方向における全体の幅が調整された状態で、上記バケットに固着されるように構成され、
上記第１カバー部材は、上記バケットの内側表面又は外側表面に沿って設けられる第１ベース部と、該第１ベース部の前端に立設されて上記バケットの先端を覆う第１前端部とを有し、
上記第２カバー部材は、上記バケットの内側表面又は外側表面に沿って設けられる第２ベース部と、該第２ベース部の前端に立設されて上記バケットの先端を覆う第２前端部とを有し、
上記第１ベース部の略中央には、切欠き部が形成されており、
上記第２ベース部には、上記切欠き部の後面を支持可能な前面を有する中央突部が形成されている、バケット先端カバー。
【請求項２】
請求項１に記載のバケット先端カバーにおいて、
上記第１前端部は、該第１前端部と上記第２前端部との間に生じる隙間を前方から遮蔽する第１遮蔽部を備えている、バケット先端カバー。
【請求項３】
請求項２に記載のバケット先端カバーにおいて、
上記第１遮蔽部は、上記第１ベース部と上記第２ベース部との間に生じる隙間を前方から遮蔽するように構成されている、バケット先端カバー。
【請求項４】
請求項１に記載のバケット先端カバーにおいて、
上記第２ベース部は、該第２ベース部と上記第１ベース部との間に生じる隙間を後方から遮蔽する第２遮蔽部を備えている、バケット先端カバー。
【請求項５】
請求項２に記載のバケット先端カバーにおいて、
上記第１前端部は、該第１前端部と上記第２前端部との間に生じる隙間を、上記第２前端部の上記第２ベース部からの突出側から遮蔽する第３遮蔽部を備えている、バケット先端カバー。
【手続補正２】
【補正対象書類名】明細書
【補正対象項目名】全文
【補正方法】変更
【補正の内容】
【発明の詳細な説明】
【技術分野】
【０００１】
本発明は、ショベル機械用のバケットの先端側に装着されるバケット先端カバーに関する。
【背景技術】
【０００２】
例えばパワーショベルやショベルローダなどのショベル機械のバケットには、その先端に複数のアダプタが所定の間隔で固着されている。各アダプタの先端には、掘削具として例えば爪状のツ―スが装着される。ツースは、バケットの先端から突出している。
【０００３】
特許文献１には、隣り合うツ―スの間で露出するバケットの先端に対し、バケット先端カバー（シュラウド）を固着することが記載されている。バケット先端カバーをバケット先端に固着することによって、当該バケット先端を保護するようにしている。一般に、バケット先端カバーは鋳鉄等の金属からなり、板状のバケット先端に対し溶接によって固着される。
【先行技術文献】
【特許文献】
【０００４】
【特許文献１】特開２０１３−２４５５２９号公報
【発明の概要】
【発明が解決しようとする課題】
【０００５】
ところで、隣り合うアダプタの間隔（つまり、ツ―スの間隔）は、バケットの種類や大きさに応じて様々に異なっている。したがって、アダプタ間のバケット先端を適切に覆って保護するためには、様々に異なるアダプタ間隔に対応して、サイズが異なる多種類のバケット先端カバーを用意することが望ましい。しかし、このような多種類のバケット先端カバーを予め用意することには、製造コストや在庫管理の観点から難しいという問題がある。
【０００６】
本発明は、かかる点に鑑みてなされたものであり、その目的とするところは、バケット先端カバーの構成に改良を加えることにより、アダプタの間隔が異なるバケットであってもその先端の保護を高めることにある。
【課題を解決するための手段】
【０００７】
第１の発明は、バケットにアダプタが所定の間隔で設けられ、該アダプタに掘削具が装着された状態で露出する上記バケットの先端に固着されることによって、当該バケットの先端を保護するバケット先端カバーであって、隣り合う上記アダプタの間で上記バケットの先端に配置される第１カバー部材及び第２カバー部材を有し、上記第１カバー部材及び上記第２カバー部材は、当該各カバー部材が上記アダプタの配列方向に相対移動することにより当該配列方向における全体の幅が調整された状態で、上記バケットに固着されるように構成され、上記第１カバー部材は、上記バケットの内側表面又は外側表面に沿って設けられる第１ベース部と、該第１ベース部の前端に立設されて上記バケットの先端を覆う第１前端部とを有し、上記第２カバー部材は、上記バケットの内側表面又は外側表面に沿って設けられる第２ベース部と、該第２ベース部の前端に立設されて上記バケットの先端を覆う第２前端部とを有し、上記第１ベース部の略中央には、切欠き部が形成されており、上記第２ベース部には、上記切欠き部の後面を支持可能な前面を有する中央突部が形成されている。
【０００８】
上記第１の発明によると、バケット先端カバーを構成する複数のカバー部材をアダプタの配列方向に相対移動させることにより、アダプタ配列方向におけるバケット先端カバーの幅を適宜調整することができる。したがって、ツース間隔が異なるバケットであっても、そのツース間隔に応じてバケット先端カバーの幅を適宜変更することにより、当該バケットの先端を適切に保護することが可能になる。
さらに、中央突部の前面が切欠き部の後面を支持可能であるため、第１カバー部材を第２カバー部材によって強固に支持することが可能になっている。よって、バケット先端カバーは、掘削作業時における前方からの衝撃に対する強度が大きく高められる。
【０００９】
第２の発明は、上記第１の発明において、上記第１前端部は、該第１前端部と上記第２前端部との間に生じる隙間を前方から遮蔽する第１遮蔽部を備えている。
【００１０】
上記第２の発明によると、バケット先端カバーの幅を広げるために第１カバー部材及び第２カバー部材を互いに離隔させると、これら第１カバー部材の第１前端部と、第２カバー部材の第２前端部との間に隙間が生じる。この隙間を前方から第１遮蔽部によって遮蔽する構成としたので、第１前端部及び第２前端部を有するバケット先端カバーの前端部分の強度を高めることが可能になるだけでなく、掘削作業時に、上記隙間に対する土砂等のバケット先端側（つまりバケット前方）からの侵入を防止することが可能になる。
【００１１】
第３の発明は、上記第２の発明において、上記第１遮蔽部は、上記第１ベース部と上記第２ベース部との間に生じる隙間を前方から遮蔽するように構成されている。
【００１２】
上記第３の発明によると、第１前端部と第２前端部との隙間だけでなく、第１ベース部と第２ベース部との隙間も第１遮蔽部によって遮蔽できるので、これらの隙間に対する土砂等の前方からの侵入を防止できる。
【００１３】
第４の発明は、上記第１の発明において、上記第２ベース部は、該第２ベース部と上記第１ベース部との間に生じる隙間を後方から遮蔽する第２遮蔽部を備えている。
【００１４】
上記第４の発明によると、第１カバー部材及び第２カバー部材を互いに離隔させたときに、第１カバー部材の第１ベース部と、第２カバー部材の第２ベース部との間にも隙間が生じるが、この隙間を後方から第２遮蔽部によって遮蔽する構成としたので、土砂等の掘削時や土砂等の均し作業時に、上記隙間に対する土砂等のバケット後方からの侵入を防止することが可能になる。
【００１５】
第５の発明は、上記第２の発明において、上記第１前端部は、該第１前端部と上記第２前端部との間に生じる隙間を、上記第２前端部の上記第２ベース部からの突出側から遮蔽する第３遮蔽部を備えている。上記第５の発明によると、掘削作業時に、第１前端部と第２前端部との隙間に対する土砂等の侵入を、バケット先端側（つまりバケット前方）からだけでなく第２前端部の突出側からも防ぐことが可能になる。
【発明の効果】
【００１６】
本発明によれば、アダプタの間隔が異なるバケットであってもその先端の保護を高めることができる。
【図面の簡単な説明】
【００１７】
【図１】図１は、本実施形態１におけるバケット先端カバーが装着されたバケットの先端を一部拡大して示す平面図である。
【図２】図２は、幅が広がった状態のバケット先端カバーを示す斜視図である。
【図３】図３は、幅が広がった状態のバケット先端カバーを示す斜視図である。
【図４】図４は、幅が広がった状態のバケット先端カバーを示す斜視図である。
【図５】図５は、幅が広がった状態のバケット先端カバーを示す平面図である。
【図６】図６は、幅が広がった状態のバケット先端カバーを示す正面図である。
【図７】図７は、幅が広がった状態のバケット先端カバーを示す側面図である。
【図８】図８は、幅が広がった状態のバケット先端カバーを示す底面図である。
【図９】図９は、第１カバー部材を示す斜視図である。
【図１０】図１０は、第１カバー部材を示す斜視図である。
【図１１】図１１は、第２カバー部材を示す斜視図である。
【図１２】図１２は、第２カバー部材を示す斜視図である。
【図１３】図１３は、幅が狭くなった状態のバケット先端カバーを示す斜視図である。
【図１４】図１４は、幅が狭くなった状態のバケット先端カバーを示す斜視図である。
【図１５】図１５は、幅が狭くなった状態のバケット先端カバーを示す平面図である。
【図１６】図１６は、幅が狭くなった状態のバケット先端カバーを示す正面図である。
【図１７】図１７は、幅が狭くなった状態のバケット先端カバーを示す底面図である。
【図１８】図１８は、本実施形態２における幅が広がった状態のバケット先端カバーを示す斜視図である。
【図１９】図１９は、第１カバー部材を示す斜視図である。
【図２０】図２０は、第２カバー部材を示す斜視図である。
【発明を実施するための形態】
【００１８】
以下、本発明の実施形態を図面に基づいて詳細に説明する。尚、本発明は、以下の実施形態に限定されるものではない。
＜実施形態１＞
【００１９】
図１は、本実施形態におけるバケット先端カバー１が装着されたバケット５の先端６を一部拡大して示す平面図である。図２〜図４は、幅が広がったバケット先端カバー１の斜視図である。図５は、幅が広がったバケット先端カバー１の平面図である。図６は、幅が広がったバケット先端カバー１の正面図である。図７は、幅が広がったバケット先端カバー１の側面図である。図８は、幅が広がったバケット先端カバー１の底面図である。
本実施形態では、図１及び図５における下側を「前側」と称し、同図における上側を「後側」と称する。よって、バケット５の先端側が「前側」である。
【００２０】
バケット５は、図示を省略するがパワーショベルのアームに搭載されている。図１に示すように、バケット５の先端６には、複数のアダプタ７が所定の間隔で設けられている。尚、図１では、バケット５の先端６における一部分を拡大して示しているため、２つのアダプタ７のみが図示されているが、バケット５には３つ以上の複数のアダプタ７が設けられている。
【００２１】
バケット５の先端６は板状に形成されている。アダプタ７は、バケット５の先端６に溶接により固着されている。各アダプタ７には、掘削具としてのツース８が装着される。そして、バケット５の先端６には、隣り合うアダプタ７の間にバケット先端カバー１がそれぞれ装着されている。バケット先端カバー１は、バケット５の先端６を保護するためのものであり、バケット５の先端６に溶接により固着されている。
【００２２】
バケット先端カバー１は、隣り合うアダプタ７の間でバケット５の先端６に配置される複数のカバー部材１０，２０により構成されている。複数のカバー部材１０，２０は、各カバー部材１０，２０がアダプタ７の配列方向（図１で左右方向である矢印Ａの方向）に相対移動することにより、当該配列方向Ａにおける全体の幅が調整された状態で、バケット５に固着されるように構成されている。以下、詳細に説明する。
【００２３】
図９及び図１０は、第１カバー部材を示す斜視図である。図１１及び図１２は、第２カバー部材を示す斜視図である。複数のカバー部材１０，２０は、例えば鋳鉄等により形成された第１カバー部材１０及び第２カバー部材２０を有している。
【００２４】
図９及び図１０に示すように、第１カバー部材１０は、バケット５の内側表面（図１で紙面手前側）又は外側表面（図１で紙面奥側）に沿って設けられる第１ベース部１１と、第１ベース部１１の前端に立設されてバケット５の先端６を覆う第１前端部１２とを有している。本実施形態の第１ベース部１１は、バケット５の外側表面（図１で紙面奥側）に沿って設けられる。
【００２５】
第１ベース部１１は、板状の平板状部１３と、平板状部１３の側方に形成されたエッジ部１４とを有している。エッジ部１４は、平板状部１３における第２カバー部材２０とは反対側に設けられている。エッジ部１４には傾斜面１５が形成されており、傾斜面１５とバケット５の表面との間に溶接部が収まるようになっている。平板状部１３の略中央には、第１切欠き部１６が形成されている。第１切欠き部１６は、平板状部１３におけるエッジ部１４とは反対側で開放されている。第１前端部１２は、バケット５の前方から受ける衝撃や損耗に耐え得るように、前後方向の厚みが比較的大きくなっている。
【００２６】
一方、図１１及び図１２に示すように、第２カバー部材２０は、バケット５の内側表面（図１で紙面手前側）又は外側表面（図１で紙面奥側）に沿って設けられる第２ベース部２１と、第２ベース部２１の前端に立設されてバケット５の先端６を覆う第２前端部２２とを有している。本実施形態の第２ベース部２１は、第１ベース部１１と同様に、バケット５の外側表面（図１で紙面奥側）に沿って設けられる。
【００２７】
第２ベース部２１は、ベース本体２３と、ベース本体２３の第１カバー部材１０側に形成された段差部２４とを有している。図１１に示すように、ベース本体２３には傾斜面２５が形成されており、傾斜面２５とバケット５の表面との間に溶接部が収容されるようになっている。また、図１２に示すように、第２ベース部２１の外側（バケット５と反対側）には、突部２６が形成されている。
【００２８】
第２ベース部２１の第１カバー部材１０側には、第２切欠き部２７が形成されている。第２切欠き部２７の前後両側には、段差部２４が設けられている。言い換えれば、第２ベース部２１には、２つの段差部２４が前後に並ぶように設けられており、その２つの段差部２４の間に第２切欠き部２７が配置されている。
【００２９】
図２〜図５に示すように、段差部２４は、第１カバー部材１０と第２カバー部材２０とが組み合わされた状態で、第１カバー部材１０の平板状部１３に重なるようになっている。また、第１切欠き部１６及び第２切欠き部２７は、第１カバー部材１０と第２カバー部材２０とが組み合わされた状態で、１つの長孔状の開口部３１を形成するようになっている。開口部３１は、その内周縁において、第１カバー部材１０及び第２カバー部材２０を、バケット５の表面に溶接するためのものである。
【００３０】
また、図１１に示すように、第２ベース部２１は、段差部２４上に立設された中央突部３３を有している。中央突部３３は、段差部２４の一方に形成されており、その側面が第２切欠き部２７の一部を区画している。
【００３１】
ここで、図１３及び図１４は、幅が狭くなったバケット先端カバー１の斜視図である。図１５は、幅が狭くなったバケット先端カバー１の平面図である。図１６は、幅が狭くなったバケット先端カバー１の正面図である。図１７は、幅が狭くなったバケット先端カバー１の底面図である。
【００３２】
図１３〜図１７に示すように、バケット先端カバー１は、第１カバー部材１０及び第２カバー部材２０が互いに近づくように相対移動することにより、当該バケット先端カバー１の幅が小さくなる。そうして、バケット先端カバー１は、所望の幅に調整した状態で、バケット５に溶接して固着される。
【００３３】
第２カバー部材２０の中央突部３３は、第２切欠き部２７を区画する側面と反対側の側面が、第１カバー部材１０と第２カバー部材２０とを組み合わせて左右に相対移動させる際に、第１切欠き部１６の側面にガイドされるようになっている。さらに、中央突部３３を設けることによって、第２ベース部２１の強度が高められている。
【００３４】
また、図２に示すように、第１前端部１２は、この第１前端部１２と第２前端部２２との間に生じる隙間３５を前方から遮蔽する第１遮蔽部１８を備えている。第１遮蔽部１８は、上記隙間３５だけでなく、第１ベース部と第２ベース部との間に生じる隙間３６も前方から遮蔽するように構成されている。言い換えれば、第１遮蔽部１８は、バケット先端カバー１の前端に生じ得る隙間３５，３６を前方から遮蔽するようになっている。
【００３５】
第２前端部２２の前面は、第１カバー部材１０を第２カバー部材２０に対して左右に相対移動させる際に、第１遮蔽部１８の後面をガイドするように構成されている。すなわち、第１遮蔽部１８は、第２前端部２２の前面に沿って相対移動する。
【００３６】
さらに、第２ベース部２１は、この第２ベース部２１と第１ベース部１１との間に生じる隙間３６を後方から遮蔽する第２遮蔽部２８を備えている。第１ベース部１１の後面は、第１カバー部材１０を第２カバー部材２０に対して左右に相対移動させる際に、第２遮蔽部２８の前面をガイドするように構成されている。すなわち、第２遮蔽部２８は、第１ベース部１１の後面に沿って相対移動する。
【００３７】
そうして、バケット先端カバー１は、第１カバー部材１０及び第２カバー部材２０がアダプタ７の配列方向Ａに相対移動することにより当該配列方向Ａにおける全体の幅が調整された状態で、上記バケット５溶接により固着される。
【００３８】
したがって、本実施形態１によると、バケット先端カバー１を複数のカバー部材（第１カバー部材１０及び第２カバー部材２０）により構成したので、各カバー部材（第１カバー部材１０及び第２カバー部材２０）をアダプタ７の配列方向Ａに相対移動させることにより、その配列方向Ａにおけるバケット先端カバー１の幅を適宜調整することができる。したがって、ツース８の間隔が異なるバケット５であっても、そのツース８の間隔に応じてバケット先端カバー１の幅を適宜変更することにより、当該バケット５における先端６の保護を高めることができる。
【００３９】
ところで、バケット先端カバー１の幅を広げるために第１カバー部材１０及び第２カバー部材２０を互いに離隔させると、これら第１カバー部材１０の第１前端部１２と、第２カバー部材２０の第２前端部２２との間に隙間３５が生じる。本実施形態では、この隙間３５を前方から第１遮蔽部１８によって遮蔽する構成としたので、第１前端部１２及び第２前端部２２を有するバケット先端カバー１の前端部分の強度が高められるだけでなく、掘削作業時に、上記隙間３５に対する土砂等のバケット５先端側（つまりバケット５の前方）からの侵入を防止することが可能になる。さらに、第１前端部１２と第２前端部２２との隙間３５だけでなく、第１ベース部１１と第２ベース部との隙間３６も第１遮蔽部１８によって遮蔽できるので、これらの隙間３５，３６に対する土砂等の前方からの侵入を防止できる。
【００４０】
ここで、バケット５は、パワーショベルにおけるアームの動作により、その先端側である前方へ移動するだけでなく、反対方向の後方へも移動する。これに対し、本実施形態では、第１ベース部１１と第２ベース部との隙間３６を後方から第２遮蔽部２８によって遮蔽する構成としたので、土砂等の掘削時や土砂等の均し作業時に、上記隙間３６に対する土砂等のバケット後方からの侵入を防止することができる。
【００４１】
しかも、第２前端部２２の前面が第１遮蔽部１８の後面を支持可能であることに加え、第２遮蔽部２８の前面が第１ベース部１１の後面を支持可能であり、且つ中央突部３３の前面が第１切欠き部の後面を支持可能であるため、第１カバー部材１０を第２カバー部材２０によって強固に支持することが可能になっている。よって、本実施形態のバケット先端カバー１は、掘削作業時における前方からの衝撃に対する強度が大きく高められる。
＜実施形態２＞
【００４２】
次に、図１８〜図２０を参照して、本実施形態２について説明する。図１８は、本実施形態２における幅が広がったバケット先端カバー１を示す斜視図である。図１９は、第１カバー部材１０を示す斜視図である。図２０は、第２カバー部材２０を示す斜視図である。尚、上記実施形態１と同様の構成については説明を省略する。
【００４３】
図１８〜図２０に示すように、本実施形態２のバケット先端カバー１は、第１カバー部材１０の第１前端部１２が上記第１遮蔽部１８に加えて第３遮蔽部３８を備えている。第３遮蔽部３８は、第１前端部１２と第２前端部２２との間に生じる隙間３５を、第２前端部２２の第２ベース部２１からの突出側（つまり図１８で上側）から遮蔽するように構成されている。第３遮蔽部３８は、第１遮蔽部１８と一体に形成されており、第１遮蔽部１８における図１８で上側の端部からバケット５の後側へ延びている。
【００４４】
本実施形態２によると、第１遮蔽部１８と第３遮蔽部３８とが一体に形成されることにより第１前端部１２の全体の強度を高めることができ、しかも、バケット５の掘削作業時に、第１前端部１２と第２前端部２２との隙間３５に対する土砂等の侵入を、バケット５の先端側（つまりバケット５の前方）からだけでなく第２前端部２２の突出側（つまり図１８で上側）からも防ぐことができる。
【００４５】
尚、上述の説明では、第１ベース部１１及び第２ベース部２１をバケット５の外側表面（図１で紙面奥側）に沿って設けた例について説明したが、第１ベース部１１及び第２ベース部２１は、バケット５の内側表面（図１で紙面手前側）に沿って設けてもよく、このようにしても上述の効果と同様の効果を得ることができる。また、上述の説明では、バケット先端カバー１が２つのカバー部材１０，２０によって構成された例について説明したが、３つ以上の複数のカバー部材によってバケット先端カバー１を構成してもよい。
【産業上の利用可能性】
【００４６】
以上説明したように、本発明は、ショベル機械用のバケットの先端側に装着されるバケット先端カバーについて有用である。
【符号の説明】
【００４７】
Ａ  配列方向 
１  バケット先端カバー
５  バケット
６  先端
７  アダプタ
８  ツース（掘削具）
１０  第１カバー部材
１１  第１ベース部
１２  第１前端部
１６  第１切欠き部（切欠き部）
１８  第１遮蔽部
２０  第２カバー部材
２１  第２ベース部
２２  第２前端部
２８  第２遮蔽部
３３  中央突部
３５，３６  隙間
３８  第３遮蔽部